(57)【要約】  本開示の実施形態は、通信方法、ネットワーク・デバイスおよび端末デバイスに関する。ネットワーク・デバイスにおいて実装される通信方法であって、マルチユーザ重畳送信のための電力割振り情報を決定するステップであって、電力割振り情報が、ニア端末デバイスと１つまたは複数の空間レイヤ上のファー端末デバイスとの間のマルチユーザ重畳送信のための電力割振りを示す、決定するステップと、電力割振り情報をニア端末デバイスに動的に送信するステップとを含む、通信方法が提供される。端末デバイスにおいて実装される通信方法、ならびに対応するネットワーク・デバイスおよび端末デバイスも提供される。【選択図】図２
2019531625.tif 000002
【特許請求の範囲】
【請求項１】
ネットワーク・デバイスにおいて実装される通信方法であって、
マルチユーザ重畳送信のための電力割振り情報を決定するステップであって、前記電力割振り情報が、ニア端末デバイスと１つまたは複数の空間レイヤ上のファー端末デバイスとの間の前記マルチユーザ重畳送信のための電力割振りを示す、決定するステップと、
前記電力割振り情報を前記ニア端末デバイスに動的に送信するステップと
を含む、通信方法。
【請求項２】
マルチユーザ重畳送信のための電力割振り情報を決定する前記ステップは、
前記ニア端末デバイスと１つの空間レイヤ上のファー端末デバイスとの間のペアリング情報を決定するステップであって、前記ペアリング情報は、前記マルチユーザ重畳送信を実行するために前記ニア端末デバイスと前記ファー端末デバイスとが前記空間レイヤ上でペアリングされるかどうかを示す、決定するステップと、
前記ペアリング情報に基づいて前記電力割振り情報を決定するステップであって、前記電力割振り情報が、
前記ニア端末デバイスと前記ファー端末デバイスとの間の前記ペアリング情報、および
前記ニア端末デバイスと前記空間レイヤ上の前記ファー端末デバイスとの間の電力割振りの指示
のうちの１つまたは複数を含む、決定するステップと
を含む、請求項１に記載の方法。
【請求項３】
マルチユーザ重畳送信のための電力割振り情報を決定する前記ステップは、
前記ニア端末デバイスと複数の空間レイヤ上のファー端末デバイスとの間のペアリング情報を決定するステップであって、前記ペアリング情報は、前記マルチユーザ重畳送信を実行するために前記ニア端末デバイスが前記複数の空間レイヤの各々の上のファー端末デバイスとペアリングされるかどうかを示す、決定するステップと、
前記ペアリング情報に基づいて前記電力割振り情報を決定するステップであって、前記電力割振り情報が、
前記ニア端末デバイスと前記複数の空間レイヤの各々の上のファー端末デバイスとの間の前記ペアリング情報、
前記複数の空間レイヤの間の電力割振りの指示、および
前記ニア端末デバイスと前記複数の空間レイヤの各々の上の前記ファー端末デバイスとの間の電力割振りの指示
のうちの１つまたは複数を含む、決定するステップと
を含む、請求項１に記載の方法。
【請求項４】
前記ペアリング情報に基づいて前記電力割振り情報を決定する前記ステップは、
前記マルチユーザ重畳送信が、前記複数の空間レイヤのすべての上で実行されるかまたはそれらのいずれの上でも実行されない場合、前記複数の空間レイヤの間で電力を等しく割り振るステップと、
前記マルチユーザ重畳送信が前記複数の空間レイヤのうちの１つの上で実行される場合、前記マルチユーザ重畳送信が実行される空間レイヤに、前記マルチユーザ重畳送信が実行されない、前記複数の空間レイヤのうちの空間レイヤに割り振られた電力よりも大きい電力を割り振るステップと
を含む、請求項３に記載の方法。
【請求項５】
前記電力割振り情報を前記ニア端末デバイスに動的に送信する前記ステップが、
サブフレーム中のダウンリンク制御情報中で前記電力割振り情報を送信するステップ
を含む、請求項１に記載の方法。
【請求項６】
端末デバイスにおいて実装される通信方法であって、前記端末デバイスが、ネットワーク・デバイスのニア端末デバイスであり、前記方法は、
前記ネットワーク・デバイスから、マルチユーザ重畳送信のための電力割振り情報を受信するステップであって、前記電力割振り情報が、前記ニア端末デバイスと１つまたは複数の空間レイヤ上のファー端末デバイスとの間の前記マルチユーザ重畳送信のための電力割振りを示す、受信するステップと、
前記電力割振り情報に基づいて前記ニア端末デバイスの基準信号のための送信電力を決定するステップと
を含む、通信方法。
【請求項７】
前記ネットワーク・デバイスからマルチユーザ重畳送信のための電力割振り情報を受信する前記ステップが、
サブフレーム中のダウンリンク制御情報から前記電力割振り情報を受信するステップ
を含む、請求項６に記載の方法。
【請求項８】
前記電力割振り情報が、
前記ニア端末デバイスと１つの空間レイヤ上のファー端末デバイスとの間のペアリング情報、および
前記ニア端末デバイスと前記空間レイヤ上の前記ファー端末デバイスとの間の電力割振りの指示
のうちの１つまたは複数を含む、請求項６に記載の方法。
【請求項９】
前記電力割振り情報に基づいて前記ニア端末デバイスの基準信号のための送信電力を決定する前記ステップが、
前記ペアリング情報に基づいて、前記ニア端末デバイスが、前記ファー端末デバイスとの前記マルチユーザ重畳送信を実行するかどうかを決定するステップと、
前記ニア端末デバイスが、前記ファー端末デバイスとの前記マルチユーザ重畳送信を実行すると決定したことに応答して、前記電力割振りの前記指示に基づいて、前記ニア端末デバイスの前記基準信号のための前記送信電力を決定するステップと
を含む、請求項８に記載の方法。
【請求項１０】
前記電力割振り情報が、
前記ニア端末デバイスと複数の空間レイヤの各々の上のファー端末デバイスとの間のペアリング情報、
前記複数の空間レイヤの間の電力割振りの指示、および
前記ニア端末デバイスと前記複数の空間レイヤの各々の上の前記ファー端末デバイスとの間の電力割振りの指示
のうちの１つまたは複数を含む、請求項６に記載の方法。
【請求項１１】
前記電力割振り情報に基づいて前記ニア端末デバイスの基準信号のための送信電力を決定する前記ステップが、
前記ペアリング情報に基づいて、前記複数の空間レイヤから前記マルチユーザ重畳送信を実行するための空間レイヤのグループを決定するステップと、
前記複数の空間レイヤの間の前記電力割振りの前記指示に基づいて、空間レイヤの前記グループ中の各空間レイヤに割り振られたレイヤ電力を決定するステップと、
前記ニア端末デバイスと前記複数の空間レイヤの各々の上の前記ファー端末デバイスとの間の前記電力割振りの前記指示と、前記決定されたレイヤ電力とに基づいて、空間レイヤの前記グループ中の各空間レイヤ上の前記ニア端末デバイスの前記基準信号のための前記送信電力を決定するステップと
を含む、請求項１０に記載の方法。
【請求項１２】
マルチユーザ重畳送信のための電力割振り情報を決定するように構成されたコントローラであって、前記電力割振り情報が、ニア端末デバイスと１つまたは複数の空間レイヤ上のファー端末デバイスとの間の前記マルチユーザ重畳送信のための電力割振りを示す、コントローラと、
前記電力割振り情報を前記ニア端末デバイスに動的に送信するように構成されたトランシーバと
を備える、ネットワーク・デバイス。
【請求項１３】
前記コントローラは、
前記ニア端末デバイスと１つの空間レイヤ上のファー端末デバイスとの間のペアリング情報を決定することであって、前記ペアリング情報は、前記マルチユーザ重畳送信を実行するために前記ニア端末デバイスと前記ファー端末デバイスとが前記空間レイヤ上でペアリングされるかどうかを示す、決定することと、
前記ペアリング情報に基づいて前記電力割振り情報を決定することであって、前記電力割振り情報が、
前記ニア端末デバイスと前記ファー端末デバイスとの間の前記ペアリング情報、および
前記ニア端末デバイスと前記空間レイヤ上の前記ファー端末デバイスとの間の電力割振りの指示
のうちの１つまたは複数を含む、決定することと
を行うようにさらに構成された、請求項１２に記載のネットワーク・デバイス。
【請求項１４】
前記コントローラは、
前記ニア端末デバイスと複数の空間レイヤ上のファー端末デバイスとの間のペアリング情報を決定することであって、前記ペアリング情報は、前記マルチユーザ重畳送信を実行するために前記ニア端末デバイスが前記複数の空間レイヤの各々の上のファー端末デバイスとペアリングされるかどうかを示す、決定することと、
前記ペアリング情報に基づいて前記電力割振り情報を決定することであって、前記電力割振り情報が、
前記ニア端末デバイスと前記複数の空間レイヤの各々の上のファー端末デバイスとの間の前記ペアリング情報、
前記複数の空間レイヤの間の電力割振りの指示、および
前記ニア端末デバイスと前記複数の空間レイヤの各々の上の前記ファー端末デバイスとの間の電力割振りの指示
のうちの１つまたは複数を含む、決定することと
を行うようにさらに構成された、請求項１２に記載のネットワーク・デバイス。
【請求項１５】
端末デバイスであって、前記端末デバイスが、ネットワーク・デバイスのニア端末デバイスであり、
前記ネットワーク・デバイスから、マルチユーザ重畳送信のための電力割振り情報を受信するように構成されたトランシーバであって、前記電力割振り情報が、前記ニア端末デバイスと１つまたは複数の空間レイヤ上のファー端末デバイスとの間の前記マルチユーザ重畳送信のための電力割振りを示す、トランシーバと、
前記電力割振り情報に基づいて前記ニア端末デバイスの基準信号のための送信電力を決定するように構成されたコントローラと
を備える、端末デバイス。
【発明の詳細な説明】
【技術分野】
【０００１】
本開示の実施形態は、一般に通信技術に関し、より詳細には、ネットワーク・デバイスおよび端末デバイスにおいて実装される通信方法、ならびに対応するネットワーク・デバイスおよび端末デバイスに関する。
【背景技術】
【０００２】
近年、マルチユーザ重畳送信（ＭＵＳＴ：ｍｕｌｔｉｕｓｅｒ  ｓｕｐｅｒｐｏｓｉｔｉｏｎ  ｔｒａｎｓｍｉｓｓｉｏｎ）技術が提案および議論されている。ＭＵＳＴ技術は、通常、複数のユーザの複数のデータ・ストリームを同じ時間、周波数および／または空間リソースにおいて送信すること、ならびに干渉消去または反復復号によって受信端において異なるユーザのデータを復元することを指す。実装形態では、ＭＵＳＴ技術は、コード領域、電力領域、コンスタレーション領域（またはビット領域）などの重畳を伴う。適用シナリオに関して、ＭＵＳＴ技術は、ダウンリンク送信およびアップリンク送信を伴う。
【０００３】
通信ネットワークがより高いトラフィック負荷を有する場合、ＭＵＳＴ技術を使用することによって通信ネットワークにより多くの容量利得をもたらすように、複数のユーザ機器（ＵＥ）がペアリングされ得る。一般に、ＭＵＳＴペアリングの可能性を増加させるために、ニアＵＥとファーＵＥとが、動的にペアリングされ得、たとえば、異なる空間レイヤ上でまたは異なるサブバンド中でペアリングされ得る。さらに、ＭＵＳＴ送信と非ＭＵＳＴ送信とが、いくつかの通信ネットワークにおいて共存し得、動的なやり方で切り替えられ得る。
【発明の概要】
【発明が解決しようとする課題】
【０００４】
しかしながら、ＭＵＳＴ送信と非ＭＵＳＴ送信との動的ペアリングまたは動的切替えの場合に、従来の電力割振り手法は、ＭＵＳＴペアリングの変更および／またはＭＵＳＴ送信と非ＭＵＳＴ送信との動的切替えに適応することができない。たとえば、動的ＭＵＳＴペアリング、特に、サブフレームごとのＭＵＳＴと非ＭＵＳＴとの間のＵＥの切替えの場合に、ＵＥが、ＵＥとペアリングされるさらなるＵＥの信号を検出すること、ましてや、さらなるＵＥの信号によって引き起こされる干渉を消去することが困難である。それにより、システム性能は、著しく劣化されることになる。
【０００５】
その上、２つの空間レイヤをもつランク２ＭＵＳＴニアＵＥの場合、ＭＵＳＴが２つのレイヤのうちの（「第１のレイヤ」とも呼ばれる）一方のレイヤ上で実行され、単一のユーザ送信が（「第２のレイヤ」とも呼ばれる）他方のレイヤ上で実行される場合、および送信電力が２つの空間レイヤ間で等しくスプリットされる場合、第２のレイヤ上での通信が、第１のレイヤ上での通信への著しい干渉を引き起こし得る。したがって、第１のレイヤ上のＭＵＳＴニアＵＥにおける信号検出の性能が劣化されることになる。
【課題を解決するための手段】
【０００６】
概して、本開示の実施形態は、ネットワーク・デバイスおよび端末デバイスにおいて実装される通信方法、ならびに対応するネットワーク・デバイスおよび端末デバイスを提案する。
【０００７】
第１の態様では、本開示の実施形態は、ネットワーク・デバイスにおいて実装される通信方法を提供する。本方法は、マルチユーザ重畳送信のための電力割振り情報を決定するステップであって、電力割振り情報が、ニア端末デバイスと１つまたは複数の空間レイヤ上のファー端末デバイスとの間のマルチユーザ重畳送信のための電力割振りを示す、決定するステップと、電力割振り情報をニア端末デバイスに動的に送信するステップとを含む。
【０００８】
この態様では、本開示の実施形態は、マルチユーザ重畳送信のための電力割振り情報を決定するように構成されたコントローラであって、電力割振り情報が、ニア端末デバイスと１つまたは複数の空間レイヤ上のファー端末デバイスとの間のマルチユーザ重畳送信のための電力割振りを示す、コントローラと、電力割振り情報をニア端末デバイスに動的に送信するように構成されたトランシーバとを備える、ネットワーク・デバイスをさらに提供する。
【０００９】
本開示の実施形態は、ネットワーク・デバイスをさらに備える。本ネットワーク・デバイスは、プロセッサと、命令を記憶したメモリとを備え、命令は、プロセッサによって実行されたとき、本ネットワーク・デバイスに、本態様による方法を実行させる。
【００１０】
本開示の実施形態は、装置をさらに備える。本装置は、マルチユーザ重畳送信のための電力割振り情報を決定するための手段であって、電力割振り情報が、ニア端末デバイスと１つまたは複数の空間レイヤ上のファー端末デバイスとの間のマルチユーザ重畳送信のための電力割振りを示す、決定するための手段と、電力割振り情報をニア端末デバイスに動的に送信するための手段とを備える。
【００１１】
第２の態様では、本開示の実施形態は、端末デバイスにおいて実装される通信方法を提供する。端末デバイスは、ネットワーク・デバイスのニア端末デバイスである。本方法は、ネットワーク・デバイスからマルチユーザ重畳送信のための電力割振り情報を受信するステップであって、電力割振り情報が、ニア端末デバイスと１つまたは複数の空間レイヤ上のファー端末デバイスとの間のマルチユーザ重畳送信のための電力割振りを示す、受信するステップと、電力割振り情報に基づいてニア端末デバイスの基準信号のための送信電力を決定するステップとを含む。
【００１２】
この態様では、本開示の実施形態は、端末デバイスをさらに提供する。本端末デバイスは、ネットワーク・デバイスからマルチユーザ重畳送信のための電力割振り情報を受信するように構成されたトランシーバであって、電力割振り情報が、ニア端末デバイスと１つまたは複数の空間レイヤ上のファー端末デバイスとの間のマルチユーザ重畳送信のための電力割振りを示す、トランシーバと、電力割振り情報に基づいてニア端末デバイスの基準信号のための送信電力を決定するように構成されたコントローラとを備える。
【００１３】
本開示の実施形態は、端末デバイスをさらに備える。本端末デバイスは、プロセッサと、命令を記憶したメモリとを備え、命令は、プロセッサによって実行されたとき、本端末デバイスに、本態様による方法を実行させる。
【００１４】
本開示の実施形態は、装置をさらに備える。本装置は、ネットワーク・デバイスからマルチユーザ重畳送信のための電力割振り情報を受信するための手段であって、電力割振り情報が、ニア端末デバイスと１つまたは複数の空間レイヤ上のファー端末デバイスとの間のマルチユーザ重畳送信のための電力割振りを示す、受信するための手段と、電力割振り情報に基づいてニア端末デバイスの基準信号のための送信電力を決定するための手段とを備える。
【００１５】
以下の説明から理解されるように、本開示の実施形態によれば、ＭＵＳＴニア・ユーザ機器の電力割振りが動的に示され得、したがって、ニア・ユーザ機器における信号検出成功の確率が増加される。このようにして、より低いシグナリング・オーバーヘッドおよびシステム複雑さの前提の下で、ＭＵＳＴペアリングの確率およびＭＵＳＴによって与えられる容量が著しく改善され得、さらに、システム性能が効果的に改善され得る。
【００１６】
発明の概要部分で説明される内容は、本開示の実施形態の主要なまたは重要な特徴を限定するものではなく、または本開示の範囲を限定するために使用されないことを諒解されたい。本開示の他の特徴は、以下の説明からより理解しやすくなるであろう。
【００１７】
本開示の様々な実施形態の上記および他の特徴、利点および態様は、同じまたは同様の参照番号が同じまたは同様の要素を示す、添付の図面とともに、以下の詳細な説明を読めば明らかになろう。
【図面の簡単な説明】
【００１８】
【図１】本開示の実施形態が実装される例示的な通信ネットワークを示す図である。
【図２】本開示のいくつかの実施形態による、ＭＵＳＴ構成を示す図である。
【図３】本開示のいくつかの実施形態による、ネットワーク・デバイス側において実装される電力割振りを示すための方法のフローチャートである。
【図４】本開示のいくつかの実施形態による、ネットワーク・デバイス側において実装される電力割振りを示すための方法のフローチャートである。
【図５】本開示のいくつかの実施形態による、ネットワーク・デバイス側において実装される電力割振りを示すための方法のフローチャートである。
【図６】本開示のいくつかの実施形態による、端末デバイス側において実装される電力割振りを示すための方法のフローチャートである。
【図７】本開示のいくつかの実施形態による、端末デバイス側において実装される電力割振りを示すための方法のフローチャートである。
【図８】本開示のいくつかの実施形態による、端末デバイス側において実装される電力割振りを示すための方法のフローチャートである。
【図９】本開示のいくつかの実施形態による、ランク２ＭＵＳＴの電力割振りの概略図である。
【図１０】本開示のいくつかの実施形態による、装置のブロック図である。
【図１１】本開示のいくつかの実施形態による、装置のブロック図である。
【図１２】本開示のいくつかの実施形態による、デバイスのブロック図である。
【発明を実施するための形態】
【００１９】
本開示の実施形態は、本開示のいくつかの実施形態が示された添付の図面を参照しながら、より詳細に説明される。しかしながら、本開示は、様々な様式で実装され得、したがって、本明細書で開示される実施形態に限定されるものと解釈されるべきではない。見方を変えれば、それらの実施形態は、本開示の周到で完全な理解のために提供される。添付の図面および本開示の実施形態は、本開示の保護範囲を限定するのではなく、説明のためのものにすぎないことを理解されたい。
【００２０】
ここで使用される「ネットワーク・デバイス」という用語は、基地局または通信ネットワークにおける特定の機能をもつ他のエンティティまたはノードを指す。「基地局（ＢＳ）」は、ノードＢ（ノードＢまたはＮＢ）、発展型ノードＢ（ｅノードＢまたはｅＮＢ）、リモート無線ユニット（ＲＲＵ）、無線周波数ヘッド（ＲＨ）、リモート・ラジオ・ヘッド（ＲＲＨ）、リピータ、またはピコセル、フェムト・セルなどの低電力ノードを表し得る。本開示のコンテキストでは、「ネットワーク・デバイス」および「基地局」という用語は、互換的に使用され得、概して、ｅＮＢは、説明のためにネットワーク・デバイスの一例と見なされる。
【００２１】
ここで使用される「端末デバイス」または「ユーザ機器（ＵＥ）」という用語は、ネットワーク・デバイスまたは互いとのワイヤレス通信を実行することができる任意の端末デバイスを指す。一例として、端末デバイスは、モバイル端末（ＭＴ）、加入者局（ＳＳ）、ポータブル加入者局（ＰＳＳ）、移動局（ＭＳ）またはアクセス端末（ＡＴ）、および上記のオンボード・デバイスを備え得る。本開示のコンテキストでは、「端末デバイス」および「ユーザ機器」という用語は、説明のために互換的に使用され得る。
【００２２】
ここで使用される「ダウンリンク・マルチユーザ重畳送信」（または「ＤＬ  ＭＵＳＴ」）という用語は、基地局から複数の端末デバイスへのＤＬ信号が、送信において重畳される（または組み合わせられる）ことを指す。この場合、基地局から端末デバイスによって受信される信号は、それ自体の信号（または「有用な信号」と呼ばれる）だけでなく、他の端末デバイスの信号（または「干渉信号」と呼ばれる）をも含む。
【００２３】
ここで使用される「空間レイヤ」という用語は、空間送信チャネルレイヤを指す。相互に分離された空間レイヤが、複数の送信アンテナについて特定の重みベクトルを構成することによって形成され得る。ここで使用される「備える、具備する、含む（ｃｏｍｐｒｉｓｅ）」、「含む、有する（ｉｎｃｌｕｄｅ）」という用語およびそれらの変形態は、「限定はしないが、含む」を意味するオープン用語として読まれるべきである。「に基づいて」という用語は、「に少なくとも部分的に基づいて」として読まれるべきである。「一実施形態」という用語は、「少なくとも１つの実施形態」として読まれるべきであり、「別の実施形態」という用語は、「少なくとも１つの他の実施形態」として読まれるべきである。他の用語の定義が、下記の説明において提示される。
【００２４】
上記で説明されたように、従来のソリューションは、サブフレームごとのＭＵＳＴ  ＵＥの動的ペアリングを実行することと、ＵＥを異なる空間レイヤ上の複数の他のＵＥとペアリングすることとを提案した。しかしながら、動的ペアリング、特にサブフレームごとのＭＵＳＴ構成と非ＭＵＳＴ構成との間のＵＥの動的切替えの場合に、ペアリングされたニアＵＥの側において信号を正しく検出するように、他のデバイスからの干渉を消去する必要がある。
【００２５】
従来のソリューションは、ＵＥが、ペアリングされたＵＥの信号を検出することを支援するように、サービスｅＮＢからＵＥにいくつかの候補パラメータを送ることを提案している。その上、ＵＥは、さらに、ブラインド検出を通して他のパラメータを取得することができる。とはいえ、これらの候補パラメータは、上位レイヤ・シグナリングを介して、長い時間間隔において送られるにすぎないことがある。ＭＵＳＴペアリング（または切替え）が異なるサブフレーム中で動的に更新されるとき、これらのパラメータは、ＵＥ側における信号検出においてうまく動作することができない。さらに、ＵＥがブラインド検出を通してすべてのパラメータを取得する場合、ＵＥにとって復号の複雑さがあまりに高くなり、時間がかかる。一方、そのようなブラインド検出は、動的ＭＵＳＴペアリングまたは切替えに適応することができない。
【００２６】
したがって、ＵＥが有用な信号を正常に検出することを可能にするために、動的ＭＵＳＴペアリングまたは切替えにおいてＵＥの信号検出に対する干渉を消去するように、ＵＥが、電力割振り情報など、これらのパラメータを順当に取得することができるような有効な手法が必要である。これは、旧来、ｅＮＢがニアＵＥよりもファーＵＥに高い電力を割り振り、したがって、ペアリングされたＵＥからの干渉がニアＵＥにおいてより強いので、ＭＵＳＴペアリングにおけるニアＵＥに特に有益である。本開示のコンテキストでは、（「ファーＵＥ」とも呼ばれる）ファー・ユーザ機器および（「ニアＵＥ」とも呼ばれる）ニア・ユーザ機器は、それぞれ、ネットワーク・デバイス（たとえば、ｅＮＢ）から遠く離れたＵＥ、およびＭＵＳＴペアリングにおけるネットワーク・デバイスに近いＵＥを指す。特に、ランク２および２つの空間レイヤをサポートするニアＵＥが、１つの空間レイヤのみ上の１つのファーＵＥとペアリングされる場合、またはニアＵＥが、１つの空間レイヤ上の１つのファーＵＥとペアリングされ、別の空間レイヤ上の別のファーＵＥとペアリングされる場合、そのような干渉は、特に著しいであろう。
【００２７】
これらおよび他の潜在的問題を克服するために、本開示の実施形態は、通信方法を提供する。本方法では、ネットワーク・デバイスが、電力割振り情報をニア・ユーザ機器に送り得る。電力割振り情報は、マルチユーザ重畳送信を実行するための、ニア端末デバイスと１つまたは複数の空間レイヤ上の（１つまたは複数の）ファー端末デバイスとの間の電力割振りを示す。したがって、ニア端末デバイスは、受信された電力割振り情報に基づいて基準信号を検出することができ、それにより、他のデバイスからの信号干渉を消去し、信号検出の成功確率を増加させ、システム性能を改善する。
【００２８】
図１は、本開示の実施形態が実装され得る例示的な通信ネットワーク１００を示す。通信ネットワーク１００は、ネットワーク・デバイス１４０と、３つの端末デバイス、すなわち第１の端末デバイス１１０、第２の端末デバイス１２０および第３の端末デバイス１３０とを備える。ネットワーク・デバイス１４０は、３つの端末デバイス１１０〜１３０と通信することができる。したがって、３つの端末デバイス１１０〜１３０は、ネットワーク・デバイス１４０を介して互いと通信することができる。図１に示されているネットワーク・デバイスの数および端末デバイスの数は、いかなる限定をも示唆することなく、説明のためのものにすぎないことを理解されたい。ネットワーク１００は、任意の適切な数のネットワーク・デバイスおよび／または端末デバイスを含み得る。
【００２９】
図示のように、この例では、第１の端末デバイス１１０は、ネットワーク・デバイス１４０に近く、第２の端末デバイス１２０および第３の端末デバイス１３０は、ネットワーク・デバイス１４０から遠く離れている。これは、限定ではなく、例示にすぎないことを理解されたい。３つの端末デバイス１１０〜１３０は、ネットワーク・デバイス１４０に近いかまたはネットワーク・デバイス１４０から遠いかのいずれかの任意の位置にあり得る。この例では、第１の端末デバイス１１０は、「ニア端末デバイス１１０」と呼ばれることがあり、第２の端末デバイス１２０および第３の端末デバイス１３０は、それぞれ、「ファー端末デバイス１２０」および「ファー端末デバイス１３０」と呼ばれることがある。
【００３０】
本開示の実施形態によれば、ネットワーク・デバイス１４０は、ＭＵＳＴペアとして第１の端末デバイス１１０を第２の端末デバイス１２０とペアリングし得る。第１の端末デバイス１１０を第２の端末デバイス１２０とペアリングすることに加えて、ネットワーク・デバイス１４０は、さらに、第１の端末デバイス１１０をネットワーク１００における任意の数の他の端末デバイスとペアリングして（１つまたは複数の）ＭＵＳＴペアまたは（１つまたは複数の）ＭＵＳＴグループにし得ることを理解されたい。
【００３１】
図２は、本開示のいくつかの実施形態による、ＭＵＳＴ構成２００を示す。図２に示されているように、ネットワーク・デバイス１４０は、第１の端末デバイス１１０を２つの空間レイヤのうちの（「第１の空間レイヤ」と呼ばれる）１つの上の第２の端末デバイス１２０とペアリングし、第１の端末デバイス１１０を（「第２の空間レイヤ」と呼ばれる）他の空間レイヤ上の第３の端末デバイス１３０とペアリングし得る。この点についての実施形態が以下で詳細に説明される。
【００３２】
ネットワーク１００における通信は、限定はしないが、第１世代（１Ｇ）、第２世代（２Ｇ）、第３世代（３Ｇ）、第４世代（４Ｇ）、第５世代（５Ｇ）および他のセルラー通信プロトコル、米国電気電子技術者協会（ＩＥＥＥ）８０２．１１などのワイヤレス・ローカル・エリア・ネットワーク通信プロトコル、ならびに／あるいは現在知られているかまたは後で開発される任意の他のプロトコルを含む、任意の適切な通信プロトコルに従って実装され得る。さらに、通信は、限定はしないが、符号分割多元接続（ＣＤＭＡ）、周波数分割多元接続（ＦＤＭＡ）、時分割多元接続（ＴＤＭＡ）、周波数分割複信（ＦＤＤ）、時分割複信（ＴＤＤ）、多入力多出力（ＭＩＭＯ）、直交周波数分割多重（ＯＦＤＭ）、および／あるいは現在知られているかまたは将来開発される任意の他の技術を含む、任意の適切なワイヤレス通信技術を利用する。
【００３３】
上記の例では、第１の端末デバイス１１０は、第２の端末デバイス１２０よりもネットワーク・デバイス１４０に近い。言い換えれば、第１の端末デバイス１１０はニア端末デバイスであり、第２の端末デバイス１２０はファー端末デバイスである。この場合、上記で説明されたように、経路損失を低減する目的で、ネットワーク・デバイス１４０は、通常、ファー端末デバイス１２０により大きい電力を割り振り、ニア端末デバイス１１０へのより大きい干渉につながる。本開示の実施形態によれば、ニア端末デバイス１１０は、マルチユーザ重畳送信のための電力割振り情報を決定し得る。電力割振り情報は、ニア端末デバイスと１つまたは複数の空間レイヤ上のファー端末デバイスとの間のマルチユーザ重畳送信のための電力割振りを示し、ニア端末デバイスに動的に送信され得る。このようにして、システム性能が効果的に改善され得るように、ニア端末デバイス１１０が信号検出を正確に実行する確率を増加させることが可能である。
【００３４】
図１および図２に示されているネットワーク・デバイスの数および端末デバイスの数は、いかなる限定をも示唆することなく、説明のためのものにすぎないことを理解されたい。通信ネットワーク１００は、任意の適切なタイプおよび／または数の（１つまたは複数の）ネットワーク・デバイスを備え得、各ネットワーク・デバイスは、適切な範囲および／または数のカバレージを与え得、通信ネットワーク１００は、任意の適切なタイプおよび／または数の端末デバイスをさらに備え得る。
【００３５】
図３〜図８を参照すると、本開示の原理および特定の実施形態が、ネットワーク・デバイス１４０およびニア端末デバイス１１０の観点から詳細に示される。最初に図３を参照すると、この図は、本開示のいくつかの実施形態による、電力割振りを示すための方法３００のフローチャートを示す。方法３００は、たとえば、図１および図２に示されているネットワーク・デバイス１４０において実装され得ることを理解されよう。説明の目的で、図１および図２を参照しながら方法３００に対する説明が以下で提示される。
【００３６】
３１０において、マルチユーザ重畳送信のための電力割振り情報が決定される。電力割振り情報は、ニア端末デバイスと１つまたは複数の空間レイヤ上のファー端末デバイスとの間のマルチユーザ重畳送信のための電力割振りを示す。本開示の実施形態によれば、電力割振り情報は、様々なやり方で決定され得る。
【００３７】
いくつかの実施形態では、ネットワーク・デバイス１４０は、１つの空間レイヤを有し、ニア端末デバイス１１０とファー端末デバイス１２０とは、この空間レイヤ上でネットワーク・デバイス１４０と通信する。この場合、ネットワーク・デバイス１４０は、ニア端末デバイスと１つの空間レイヤ上のファー端末デバイスとの間のペアリング情報を決定し得る。ペアリング情報は、マルチユーザ重畳送信を実行するためにニア端末デバイスが空間レイヤ上のファー端末デバイスとペアリングされるかどうかを示す。次いで、ネットワーク・デバイス１４０は、ペアリング情報に基づいて電力割振り情報を決定し得る。電力割振り情報は、たとえば、ニア端末デバイスとファー端末デバイスとの間のペアリング情報、ニア端末デバイスと空間レイヤ上のファー端末デバイスとの間の電力割振り指示、および／または他の関連情報を含み得る。
【００３８】
代替として、いくつかの実施形態では、ネットワーク・デバイス１４０は、複数の空間レイヤ、たとえば、図２に示されている２つの空間レイヤを有し得る。図２に示されている例では、ニア端末デバイス１１０とファー端末デバイス１２０とは、第１の空間レイヤ上でネットワーク・デバイス１４０と通信し、ニア端末デバイス１１０とファー端末デバイス１３０とは、第２の空間レイヤ上でネットワーク・デバイス１４０と通信する。この場合、ネットワーク・デバイス１４０は、ニア端末デバイスと複数の空間レイヤ上のファー端末デバイスとの間のペアリング情報を決定し得る。本開示の実施形態では、ペアリング情報は、マルチユーザ重畳送信を実行するためにニア端末デバイスが複数の空間レイヤの各々の上のファー端末デバイスとペアリングされるかどうかを示す。次いで、ネットワーク・デバイス１４０は、ペアリング情報に基づいて電力割振り情報を決定し得る。電力割振り情報は、たとえば、ニア端末デバイスと複数の空間レイヤの各々の上のファー端末デバイスとの間のペアリング情報、複数の空間レイヤの間の電力割振り指示、ニア端末デバイスと複数の空間レイヤの各々の上のファー端末デバイスとの間の電力割振り指示、および／または他の適切な情報を含み得る。
【００３９】
３２０において、電力割振り情報は、ニア端末デバイスに動的に送信される。本開示の実施形態によれば、ネットワーク・デバイス１４０は、サブフレームのダウンリンク制御情報（たとえば、ＤＣＩまたは拡張ＤＣＩ）中で電力割振り情報をニア端末デバイス１１０に送信し得る。いくつかの実施形態では、電力割振り情報を送るためのサブフレームは、特定のサブフレーム、たとえば、１つまたは複数のあらかじめ定義されたサブフレームであり得る。あらかじめ定義されたサブフレームは、あるサブフレームあるいは複数の連続または不連続サブフレームであり得る。不連続サブフレームの場合、これらのサブフレームは、規則的なまたは不規則的な区間を有し得る。上記の実施形態では、ネットワーク・デバイス１４０は、これらのあらかじめ定義されたサブフレーム上で電力割振り情報をニア端末デバイス１１０に送るにすぎない。代替として、いくつかの他の実施形態では、ネットワーク・デバイス１４０は、各サブフレームのダウンリンク制御情報中で電力割振り情報をニア端末デバイス１１０に送り得る。
【００４０】
上記の例は、いかなる限定をも示唆するものではなく、例示にすぎないことを理解されたい。他の実施形態では、ネットワーク・デバイス１４０は、サブフレーム中の（１つまたは複数の）他の適切な情報位置において電力割振り情報を送り得る。
【００４１】
図４は、本開示のいくつかの実施形態による、ネットワーク・デバイス側において実装される電力割振りを示すための方法４００のフローチャートを示す。方法４００は、方法３００の一実装形態と見なされ得、図１および図２に示されているネットワーク・デバイス１４０において実装され得る。図４に示されている実施形態では、ネットワーク・デバイス１４０は、１つの空間レイヤ（たとえば、図２中の第１の空間レイヤ）のみを有し、その上で、ニア端末デバイス１１０とファー端末デバイス１２０とは、ネットワーク・デバイス１４０と通信する。方法４００は、限定ではなく例示にすぎず、本開示の実施形態は、それに限定されているものと解釈されるべきではないことを理解されたい。
【００４２】
４１０において、ニア端末デバイスと１つの空間レイヤ上のファー端末デバイスとの間のペアリング情報が決定される。本開示の実施形態によれば、ペアリング情報は、マルチユーザ重畳送信を実行するためにニア端末デバイスが空間レイヤ上のファー端末デバイスとペアリングされるかどうかを示し得る。いくつかの実施形態では、ネットワーク・デバイス１４０は、ニア端末デバイス１１０とファー端末デバイス１２０とが、セル中のそれらの端末の位置に従って、第１の空間レイヤ上にあると決定し得る。次いで、ネットワーク・デバイス１４０は、２つの端末デバイスがＭＵＳＴを実行するようにペアリングされるかどうかを決定し得る。一例として図２中の第１の空間レイヤを挙げると、ネットワーク・デバイス１４０は、ニア端末デバイス１１０とファー端末デバイス１２０とが第１の空間レイヤ上でペアリングされると決定し得る。
【００４３】
４２０において、ペアリング情報に基づいて電力割振り情報が決定される。電力割振り情報は様々な情報、たとえば、ニア端末デバイスとファー端末デバイスとの間のペアリング情報、ニア端末デバイスと空間レイヤ上のファー端末デバイスとの間の電力割振り指示などのうちの１つまたは複数を含み得る。いくつかの実施形態では、ニア端末デバイスとファー端末デバイスとの間のペアリング情報は、たとえば、１ビット・インジケータとして実装され得、そのビットが「１」および「０」であることは、それぞれ、ニア端末デバイス１１０がファー端末デバイス１２０とペアリングされるおよびされないことを示す。ニア端末デバイス１１０がファー端末デバイス１２０とペアリングされるかどうかに関する指示の他の実装形態があることを理解されたい。上記の例は限定ではなく例示にすぎない。たとえば、ペアリング情報は、さらに、複数のビットをもつインジケータとして実装され得、複数のビットは異なるペアリング事例を示す。
【００４４】
ニア端末デバイスとファー端末デバイスとの間の電力割振りの指示は、ニア端末デバイスとファー端末デバイスとの間の電力割振り比（たとえば、１：２）、それらの間の電力差（たとえば、１ｄｂ）、それらの電力値（たとえば、０．３および０．７）、または他の適切なタイプの指示として実装され得る。
【００４５】
４３０において、電力割振り情報がサブフレームのダウンリンク制御情報中で送信される。いくつかの実施形態では、電力割振り情報を送信するためのサブフレームは、特定のサブフレーム、たとえば、１つまたは複数のあらかじめ定義された連続または不連続サブフレームであり得る。他の実施形態では、ネットワーク・デバイス１４０は、各サブフレームのダウンリンク制御情報中で電力割振り情報をニア端末デバイス１１０に送り得る。
【００４６】
図５は、本開示のいくつかの実施形態による、ネットワーク・デバイス側において実装される電力割振りを示すための方法５００のフローチャートを示す。方法５００は、方法３００の別の実装形態と見なされ得、図１および図２に示されているネットワーク・デバイス１４０において実装され得る。図５に示されている実施形態では、ネットワーク・デバイス１４０は、複数の空間レイヤ、たとえば、図２に示されている２つの空間レイヤを有し得る。ニア端末デバイス１１０とファー端末デバイス１２０とは、第１の空間レイヤ上でネットワーク・デバイス１４０と通信し、ニア端末デバイス１１０とファー端末デバイス１３０とは、第２の空間レイヤ上でネットワーク・デバイス１４０と通信する。したがって、ニア端末デバイス１１０は、それ自体の信号と第１の空間レイヤ上のファー端末デバイス１２０の信号との（「第２の信号」と呼ばれる）重畳信号を受信し、それ自体の信号と第２の空間レイヤ上のファー端末デバイス１３０の信号との（「第３の信号」と呼ばれる）重畳信号を受信し得る。方法５００は、限定ではなく例示にすぎず、本開示の実施形態は、それに限定されているものと解釈されるべきではないことを理解されたい。
【００４７】
５１０において、ニア端末デバイスと複数の空間レイヤ上のファー端末デバイスとの間のペアリング情報が決定される。一例として図２を挙げると、ネットワーク・デバイス１４０は、ニア端末デバイス１１０が（「レイヤ１」と呼ばれる）第１の空間レイヤ上のファー端末デバイス１２０とペアリングされ、ニア端末デバイス１１０が（「レイヤ２」と呼ばれる）第２の空間レイヤ上のファー端末デバイス１３０とペアリングされると決定し得る。したがって、ネットワーク・デバイス１４０は、５１０において、ニア端末デバイス１１０がレイヤ１上のファー端末デバイス１２０とペアリングされるかどうか、およびニア端末デバイス１１０がレイヤ２上のファー端末デバイス１３０とペアリングされるかどうかを示すそのようなペアリング情報を決定し得る。
【００４８】
５２０において、ペアリング情報に基づいて電力割振り情報が決定される。電力割振り情報は、複数の空間レイヤに関連し、たとえば、ニア端末デバイスと複数の空間レイヤの各空間レイヤ上のファー端末デバイスとの間のペアリング情報、複数の空間レイヤの間の電力割振り指示、ニア端末デバイスと複数の空間レイヤの各々の上のファー端末デバイスとの間の電力割振り指示、および／または他の適切な情報を含み得る。
【００４９】
本開示の実施形態によれば、ＭＵＳＴ送信における動的ペアリングの場合に、ＭＵＳＴ送信が両方のレイヤについてペアリングされるのか、１つの空間レイヤのみについてペアリングされるのかが、ニア端末デバイスのための２つの空間レイヤ間の電力割振りに影響を与える。いくつかの実施形態では、ニア端末デバイスと複数の空間レイヤの各空間レイヤ上のファー端末デバイスとの間のペアリング情報を示すために、サブフレームのダウンリンク制御情報中でインジケータが設定され得る。インジケータは、「レイヤＭＵＳＴ指示（ＬＭＩ）」と呼ばれることがある。図２に示されている２つの空間レイヤの場合、ＬＭＩは、たとえば、２ビットを使用して実装され得る。以下の表１は、レイヤ１およびレイヤ２がＭＵＳＴのためにペアリングされるかどうかを示す２ビットを用いた例示的な対応を示す。
【表１】
2019531625.tif 000003
【００５０】
表１では、「００」は、レイヤ１とレイヤ２の両方が、ＭＵＳＴのためにペアリングされず、非ＭＵＳＴ送信中にあることを示す。
【００５１】
「１０」は、レイヤ１がＭＵＳＴのためにペアリングされ、レイヤ２が、ＭＵＳＴのためにペアリングされず、非ＭＵＳＴ送信中にあることを示す。
【００５２】
「０１」は、レイヤ１が、ＭＵＳＴのためにペアリングされず、非ＭＵＳＴ送信中にあり、レイヤ２がＭＵＳＴのためにペアリングされることを示す。
【００５３】
「１１」は、レイヤ１とレイヤ２の両方が、ＭＵＳＴのためにペアリングされ、ＭＵＳＴ送信中にあることを示す。
【００５４】
本開示の実施形態によれば、（「レイヤ間電力割振り指示」（ＩＬＰＡＩ：ｉｎｔｅｒ−ｌａｙｅｒ  ｐｏｗｅｒ  ａｌｌｏｃａｔｉｏｎ  ｉｎｄｉｃａｔｉｏｎ）とも呼ばれる）複数の空間レイヤ間の電力割振り指示は、様々なレイヤ間の電力比として、様々なレイヤ間の電力オフセット（または「電力差」）として、または別の適切な形式で実装され得、ここで、（「総電力」とも呼ばれる）総送信電力が、上位レイヤによって構成された公称電力に対応する。
【００５５】
レイヤ間電力割振りは、様々な様式で実装され得る。いくつかの実施形態では、すべての空間レイヤがＭＵＳＴ送信中にあるかまたは非ＭＵＳＴ送信中にある場合、電力は、複数の空間レイヤの間で等しく割り振られ得る。一例として図２を挙げると、第１の空間レイヤと第２の空間レイヤの両方が非ＭＵＳＴ送信中にある場合、電力は、第１の空間レイヤと第２の空間レイヤとの間で等しく割り振られ得る。さらに、第１の空間レイヤと第２の空間レイヤの両方がＭＵＳＴ送信中にある場合、すなわち、ニア端末デバイス１１０が第１の空間レイヤ上のファー端末デバイス１２０とペアリングされ、ニア端末デバイス１１０が第２の空間レイヤ上のファー端末デバイス１２０とペアリングされるとき、電力は、第１の空間レイヤと第２の空間レイヤとの間で等しく割り振られ得る。言い換えれば、ＬＭＩが「００」または「１１」である場合、総送信電力は、レイヤ１とレイヤ２との間で等しく分割され、したがって、ＩＬＰＡＩは不要であり得る。代替として、上記の場合、電力の等しい割振りがＩＬＰＡＩによって示され得る。
【００５６】
いくつかの実施形態では、マルチユーザ重畳送信が複数の空間レイヤのうちの１つの空間レイヤ上で実行される場合、干渉を低減するために、ＭＵＳＴが実行される空間レイヤに、ＭＵＳＴが実行されない空間レイヤよりも大きい電力が割り振られる。一例として図２を挙げると、レイヤ１がＭＵＳＴのためにペアリングされ、レイヤ２がＭＵＳＴのためにペアリングされない場合、すなわち、ニア端末デバイス１１０が、レイヤ１上のファー端末デバイス１２０とペアリングされるが、レイヤ２上のファー端末デバイス１３０とペアリングされない場合、干渉を緩和するように、レイヤ１に割り振られた電力は、レイヤ２よりも大きくなり得る。この点において、ＩＬＰＡＩは、レイヤ１とレイヤ２との間の電力オフセットまたは電力比を示し得る。見方を変えれば、レイヤ１がＭＵＳＴ中にないが、レイヤ２がＭＵＳＴ中にある場合、干渉を緩和するように、レイヤ２に割り振られた電力は、レイヤ１に割り振られた電力よりも大きくなり得る。この点において、ＩＬＰＡＩは、レイヤ２とレイヤ１との間の電力オフセットまたは電力比を示し得る。
【００５７】
本開示による一実施形態では、ＩＬＰＡＩは、表２に示されているように、レイヤ１とレイヤ２との間の電力割振りの電力比を含み得る。
【表２】
2019531625.tif 000004
【００５８】
表２は、電力比の形態のＩＬＰＡＩの一例を示し、「００」は、レイヤ１とレイヤ２との間の電力比が１：１であり、「０１」、「１０」および「１１」は、レイヤ１とレイヤ２との間の電力比が、それぞれ、２：１、３：２および３：１であることを示す。これらの電力比は、ネットワーク・デバイス１４０によって各空間レイヤに割り振られた電力と、総送信電力とに基づいて計算され得る。したがって、端末デバイス１１０は、電力割振り情報の受信時に、ＩＬＰＡＩに従って現在レイヤに割り振られた電力を決定し得る。
【００５９】
本開示による別の実施形態では、ＩＬＰＡＩは、表３に示されているように、レイヤ１とレイヤ２との間の電力割振りの電力オフセットを含み得る。
【表３】
2019531625.tif 000005
【００６０】
表３は、電力オフセットの形態のＩＬＰＡＩの一例を示す。表２および表３に記載されている電力比の値または電力オフセットの値は、限定ではなく例示にすぎないことを理解されたい。本開示の実施形態では、これらの値は、様々な様式で決定され得、たとえば、それらは、経験的値であるか、または標準化ＦＦＳによって設定され得る。いくつかの実施形態では、それらは、ニアＵＥとファーＵＥとの間の比に基づいてさらに設定され得る。
【００６１】
いくつかの実施形態では、ＬＭＩが、レイヤ１がＭＵＳＴのためにペアリングされ、レイヤ２がＭＵＳＴのためにペアリングされないときの、「１０」である場合、ペアリングされたファーＵＥへの著しい干渉を回避するために、レイヤ１に割り振られた電力は、レイヤ２に割り振られた電力よりも大きい。したがって、ＩＬＰＡＩは、レイヤ１とレイヤ２との間の電力オフセットを示し得る。一実施形態では、表２に示されているように、ＩＬＰＡＩが「１０」である場合、それは、レイヤ１とレイヤ２との間の電力割振り比が「３：２」であることを示し得る。別の実施形態では、表３に示されているように、ＩＬＰＡＩが「１１」である場合、それは、レイヤ１とレイヤ２との間の電力オフセットが「３ｄＢ」であり、すなわち、レイヤ１の電力がレイヤ２の電力よりも３ｄＢ大きいことを示し得る。
【００６２】
さらなる実施形態では、ＬＭＩが、レイヤ１がＭＵＳＴのためにペアリングされず、レイヤ２がＭＵＳＴのためにペアリングされるときの、「０１」である場合、ペアリングされたファーＵＥへの著しい干渉を回避するために、レイヤ２に割り振られた電力は、レイヤ１に割り振られた電力よりも大きい。したがって、ＩＬＰＡＩは、レイヤ１とレイヤ２との間の電力オフセットを示し得る。一実施形態では、表２に示されているように、ＩＬＰＡＩが「１０」である場合、それは、レイヤ２とレイヤ１との間の電力割振り比が「３：２」であることを示し得る。別の実施形態では、表３に示されているように、ＩＬＰＡＩが「１１」である場合、それは、レイヤ２とレイヤ１との間の電力オフセットが「３ｄＢ」であり、すなわち、レイヤ２の電力がレイヤ１の電力よりも３ｄＢ大きいことを示し得る。
【００６３】
本開示の実施形態によれば、ＬＭＩとＩＬＰＡＩとは、表４に示されているように一緒にコーディングされ得る。
【表４】
2019531625.tif 000006
【００６４】
表４は、ＬＭＩおよびＩＬＰＡＩのジョイント・コーディングの一例を示す。表４の意味について説明するために、一例として表４中の３番目の行を挙げる。３番目の行では、ＬＭＩ＋ＩＬＰＡＩが「０１０」であることは、ＬＭＩが「１０」であり、ＩＬＰＡＩが「０１」であることを示し、その点において、レイヤ１とレイヤ２との間の電力割振り比（すなわち、電力比）は２：１である。
【００６５】
レイヤ１およびレイヤ２のうちの１つがシングル・ユーザ送信（たとえば、シングル・ユーザ多入力多出力、ＳＵ−ＭＩＭＯ）中にある（表４中の１番目の行に対応する）か、または両方の空間レイヤがＭＵＳＴ中にある（表４中の２番目の行に対応する）とき、電力は、レイヤ１とレイヤ２との間で等しく割り振られる。レイヤ１およびレイヤ２のうちの１つがＭＵＳＴ中にある（表４中の３番目〜８番目の行に対応する）間、ネットワーク・デバイス１４０は、表４に従って電力比または電力オフセットを構成し得る。
【００６６】
本開示の実施形態によれば、電力割振り情報は、ニア端末デバイスと各空間レイヤ上のファー端末デバイスとの間の電力割振り指示（ＩＵＰＡＩ）をさらに含み得る。電力割振りの指示は、たとえば、あらかじめ定義されたルールに従って生成された正規化された電力比であり得る。たとえば、電力比は、範囲［０．７，０．９５］内にあり得る。いくつかの実施形態では、ファーＵＥとＭＵＳＴ空間レイヤ上のニアＵＥとの間の電力割振りを示すために、２ビットＩＵＰＡＩが使用され得る。表５はＩＵＰＡＩの一例を示す。
【表５】
2019531625.tif 000007
【００６７】
表５では、ＩＵＰＡＩが「００」、「０１」、「１０」または「１１」である場合、対応する電力比がそれぞれＰＲ０、ＰＲ１、ＰＲ２またはＰＲ３であると決定され得る。ＰＲ０、ＰＲ１、ＰＲ２およびＰＲ３は、範囲［０．７，０．９５］内の４つの値であり得、それらは、様々な様式で計算され得る。一実施形態では、ＬＭＩが「１０」である場合、すなわち、レイヤ１がＭＵＳＴのためにペアリングされ、レイヤ２がＭＵＳＴのためにペアリングされない場合、レイヤ１とレイヤ２との間の電力比は、ニアＵＥと空間レイヤ１上のファーＵＥとに割り振られたそれぞれの電力に従って計算され得る。その後、電力比は、ＰＲｉを導出するために正規化され、ｉ＝０、１、２、３である。
【００６８】
５３０において、電力割振り情報が各サブフレームのダウンリンク制御情報中で送られる。本開示の実施形態によれば、５２０において決定された電力割振り情報は、各サブフレームのＤＣＩまたは拡張ＤＣＩ中で送信され得る。ただし、これは限定ではなく例示にすぎない。たとえば、本開示のいくつかの他の実施形態では、電力割振り情報は、１つまたは複数の連続または不連続サブフレーム中で送信され得る。
【００６９】
図９は、本開示のいくつかの実施形態による、ランク２ＭＵＳＴのための電力割振りの概略図を示す。図９に関して示される実施形態では、ＬＭＩが「１１」であり、ＩＬＰＡＩが「００」であり、ＩＵＰＡＩ１（すなわち、レイヤ１のＩＵＰＡＩ）が「０１」であり、ＩＵＰＡＩ２（すなわち、レイヤ２のＩＵＰＡＩ）が「１０」である場合、電力割振り情報は、９１０に示されているようになる。ＬＭＩが「０１」であり、ＩＬＰＡＩが「１１」であり、ＩＵＰＡＩ１が「１１」である場合、電力割振り情報は、９２０に示されているようになる。ＬＭＩが「１０」であり、ＩＬＰＡＩが「１１」であり、ＩＵＰＡＩ１が「１０」である場合、電力割振り情報は、９３０に示されているようになる。
【００７０】
図６は、本開示のいくつかの実施形態による、電力割振りを示すための方法６００のフローチャートを示す。方法６００は、たとえば、図１および図２に示されているニア端末デバイス１１０において実装され得ることを理解されよう。説明の目的で、図１および図２を参照しながら方法６００に対する説明が以下で提示される。
【００７１】
６１０において、マルチユーザ重畳送信のための電力割振り情報がネットワーク・デバイスから受信される。本開示の実施形態によれば、電力割振り情報は、ニア端末デバイスと１つまたは複数の空間レイヤ上のファー端末デバイスとの間のマルチユーザ重畳送信のための電力割振りを示す。端末デバイス１１０は、サブフレームのダウンリンク制御情報から電力割振り情報を受信し得る。
【００７２】
いくつかの実施形態では、電力割振り情報は、１つまたは複数のあらかじめ定義されたサブフレーム上で受信され得る。あらかじめ定義されたサブフレームは、単一のサブフレーム、あるいはいくつかの連続または不連続サブフレームのいずれかであり得る。不連続サブフレームの場合、これらのサブフレームは、規則的なまたは不規則的な区間を有し得る。ネットワーク・デバイス１４０は、これらのあらかじめ定義されたサブフレーム上で電力割振り情報をニア端末デバイス１１０に送り得る。したがって、ニア端末デバイス１１０は、これらのあらかじめ定義されたサブフレームのダウンリンク制御情報中で、電力割振り情報をネットワーク・デバイス１４０から取得し得る。
【００７３】
代替として、ネットワーク・デバイス１４０は、各サブフレームのダウンリンク制御情報中で電力割振り情報をニア端末デバイス１１０に送り得る。したがって、ニア端末デバイス１１０は、ネットワーク・デバイス１４０から送信された各サブフレームのダウンリンク制御情報から電力割振り情報を取得し得る。
【００７４】
６２０において、ニア端末デバイスの基準信号のための送信電力が、電力割振り情報に基づいて決定される。いくつかの実施形態では、ネットワーク・デバイス１４０は、１つの空間レイヤ、たとえば、図２中の第１の空間レイヤのみを有する。ニア端末デバイス１１０とファー端末デバイス１２０とは、この空間レイヤ上でネットワーク・デバイス１４０と通信する。電力割振り情報は、ニア端末デバイスと１つの空間レイヤ上のファー端末デバイスとの間のペアリング情報、ニア端末デバイスと空間レイヤ上のファー端末デバイスとの間の電力割振りの指示、および／または他の適切な情報を含み得る。これらの実施形態では、６２０において、端末デバイス１１０は、ペアリング情報に基づいて、ニア端末デバイスとファー端末デバイスとがマルチユーザ重畳送信を実行するかどうかを決定し得る。ニア端末デバイスとファー端末デバイスとがマルチユーザ重畳送信を実行すると決定された場合、端末デバイス１１０は、電力割振り情報に基づいてニア端末デバイスの基準信号のための送信電力を決定し得る。
【００７５】
代替として、いくつかの実施形態では、ネットワーク・デバイス１４０は、複数の空間レイヤ、たとえば、図２に示されている２つの空間レイヤを有し得る。ニア端末デバイス１１０とファー端末デバイス１２０とは、第１の空間レイヤ上でネットワーク・デバイス１４０と通信し、ニア端末デバイス１１０とファー端末デバイス１３０とは、第２の空間レイヤ上でネットワーク・デバイス１４０と通信する。この場合、電力割振り情報は、ニア端末デバイスと複数の空間レイヤの各々の上のファー端末デバイスとの間のペアリング情報、複数の空間レイヤの間の電力割振りの指示、ニア端末デバイスと複数の空間レイヤの各々の上のファー端末デバイスとの間の電力割振りの指示、および／または他の関連情報を含み得る。上記の実施形態では、ニア端末デバイス１１０は、複数の空間レイヤから、ペアリング情報に基づいてマルチユーザ重畳送信を実行するための空間レイヤのグループを決定し得る。次いで、ニア端末デバイス１１０は、複数の空間レイヤの間の電力割振りの指示に基づいて、空間レイヤのグループ中の各空間レイヤに割り振られたレイヤ電力を決定し得る。その後、ニア端末デバイス１１０は、ニア端末デバイスと複数の空間レイヤの各々の上のファー端末デバイスとの間の電力割振りの指示と、決定されたレイヤ電力とに基づいて、空間レイヤのグループ中の各空間レイヤ上のニア端末デバイスの基準信号のための送信電力を決定し得る。
【００７６】
決定された送信電力に基づいて、ニア端末デバイス１１０において基準信号の検出成功の確率が増加され得、したがってシステム性能が改善され得る。
【００７７】
図７は、本開示のいくつかの実施形態による、端末デバイス側において実装される電力割振りを示すための方法７００のフローチャートを示す。方法７００は、方法６００の一実装形態と見なされ得、図１および図２に示されているニア端末デバイス１１０において実装され得る。図７に示されている実施形態では、１つの空間レイヤ（たとえば、図２中の第１の空間レイヤ）のみがあり、その上で、ニア端末デバイス１１０とファー端末デバイス１２０とは、ネットワーク・デバイス１４０と通信する。方法７００は、限定ではなく例示にすぎず、本開示の実施形態は、それに限定されているものと解釈されるべきではないことを理解されたい。
【００７８】
７１０において、サブフレーム中のダウンリンク制御情報から電力割振り情報が受信される。いくつかの実施形態では、電力割振り情報は、連続または不連続のいずれかである１つまたは複数のあらかじめ定義されたサブフレーム中でネットワーク・デバイス１４０によって送信され得る。したがって、ニア端末デバイス１１０は、（１つまたは複数の）サブフレームからまたは（１つまたは複数の）サブフレーム中のＤＣＩから電力割振り情報を取得し得る。
【００７９】
代替として、いくつかの他の実施形態では、ネットワーク・デバイス１４０は、各サブフレーム中のＤＣＩ中で電力割振り情報を送信する。したがって、ニア端末デバイス１１０は、各サブフレーム中のＤＣＩから電力割振り情報を取得し得る。
【００８０】
図７に示されている実施形態では、７１０において受信された電力割振り情報は、ニア端末デバイスとファー端末デバイスとの間のペアリング情報、ニア端末デバイスと空間レイヤ上のファー端末デバイスとの間の電力割振りの指示、および／または他の関連情報など、様々な情報を含み得る。
【００８１】
７２０において、ペアリング情報に基づいて、ニア端末デバイスとファー端末デバイスとがマルチユーザ重畳送信を実行するかどうかが決定される。ペアリング情報は、たとえば、７１０において受信されたニア端末デバイスとファー端末デバイスとの間のペアリング情報であり、１ビット・インジケータとして実装され得る。ビットが「１」であると端末デバイス１１０が決定した場合、ニア端末デバイス１１０がファー端末デバイス１２０とペアリングされると決定され得る。ビットが「０」であると端末デバイス１１０が決定した場合、ニア端末デバイス１１０がファー端末デバイス１２０とペアリングされないと決定され得る。
【００８２】
７３０において、ニア端末デバイスが、ファー端末デバイスとのマルチユーザ重畳送信を実行すると決定したことに応答して、電力割振り指示に基づいて、ニア端末デバイスの基準信号のための送信電力が決定される。電力割振り指示は、たとえば、７１０において受信されたニア端末デバイスと空間レイヤ上のファー端末デバイスとの間の電力割振りの指示であり、ニア端末デバイス１１０とファー端末デバイス１２０との間の電力割振り比（たとえば、１：２）、それらの間の電力差（たとえば、１ｄｂ）、それらの電力値（たとえば、０．３および０．７）など、様々な形態で実装され得る。
【００８３】
たとえば、ニア端末デバイス１１０は、電力割振り比に基づいて、総電力中のどのくらいの電力がニア端末デバイス１１０に関連し、および／またはどのくらいの電力がファー端末デバイス１２０に関連するかを決定し得る。したがって、ニア端末デバイス１１０は、どのくらいの電力がそれ自体に割り振られるかを計算し、信号検出成功の可能性の増加を可能にすることができる。
【００８４】
図８は、本開示のいくつかの実施形態による、端末デバイス側において実装される電力割振りを示すための方法８００のフローチャートを示す。方法８００は、方法６００の別の実装形態と見なされ得、図１および図２に示されているニア端末デバイス１１０において実装され得る。図８に示されている実施形態は、複数の空間レイヤ、たとえば図２に示されている２つの空間レイヤを含む。ニア端末デバイス１１０とファー端末デバイス１２０とは、第１の空間レイヤ上でネットワーク・デバイス１４０と通信し、ニア端末デバイス１１０とファー端末デバイス１３０とは、第２の空間レイヤ上でネットワーク・デバイス１４０と通信する。方法８００は、限定ではなく例示にすぎず、本開示の実施形態は、それに限定されているものと解釈されるべきではないことを理解されたい。
【００８５】
８１０において、各サブフレームのダウンリンク制御情報から電力割振り情報が受信される。本開示の実施形態によれば、ネットワーク・デバイス１４０は、各サブフレーム中のＤＣＩまたは拡張ＤＣＩ中で電力割振り情報を送信し得る。したがって、端末デバイス１１０は、８１０において、各サブフレーム中のＤＣＩまたは拡張ＤＣＩ中で送信された電力割振り情報を受信し得る。ただし、これは限定ではなく例示にすぎない。たとえば、本開示のいくつかの他の実施形態では、ネットワーク・デバイス１４０は、１つまたは複数の連続または不連続サブフレーム中で電力割振り情報を送信し得、したがって、端末デバイス１１０は、１つまたは複数の連続または不連続サブフレーム中で電力割振り情報を受信し得る。
【００８６】
本開示の実施形態によれば、８１０において受信された電力割振り情報は、ニア端末デバイスと複数の空間レイヤの各空間レイヤ上のファー端末デバイスとの間のペアリング情報、複数の空間レイヤの間の電力割振りの指示、ニア端末デバイスと複数の空間レイヤの各々の上のファー端末デバイスとの間の電力割振りの指示、および／または他の適切な情報を含み得る。ペアリング情報は、表１に示されているＬＭＩの例を使用して示され得る。複数の空間レイヤの間の電力割振りの指示は、表２および表３に示されているＩＬＰＡＩの例を使用して示され得る。さらに、ペアリング情報と複数の空間レイヤ間の電力割振りの指示とは、たとえば、表４中のジョイント指示の例を使用することによって一緒に示され得る。さらに、各空間レイヤ上のファー端末デバイス間の電力割振り指示は、表５中のＩＵＰＡＩの例を使用して実装され得る。表１から表５に示されている実施形態は、限定ではなく例示にすぎず、本開示の実施形態は、それに限定されているものと解釈されるべきではないことを理解されたい。事実上、当業者は、他の好適なやり方で電力割振り情報の指示を実装し得る。
【００８７】
８２０において、ペアリング情報に基づいて、複数の空間レイヤからマルチユーザ重畳送信のための空間レイヤのグループが決定される。「空間レイヤのグループ」がＭＵＳＴのための１つまたは複数の空間レイヤを含み得ることを理解されたい。いくつかの実施形態では、合計２つの空間レイヤがある場合、ＬＭＩが「０１」であるとき、端末デバイス１１０は、ＭＵＳＴがレイヤ２上で実行されると決定し得、ＬＭＩが「１０」であるとき、端末デバイス１１０は、ＭＵＳＴがレイヤ１上で実行されると決定し得る。
【００８８】
８３０において、複数の空間レイヤの間の電力割振りの指示に基づいて、空間レイヤのグループ中の各空間レイヤに割り振られたレイヤ電力が決定される。いくつかの実施形態では、複数の空間レイヤの間の電力割振りの指示は、表２または表３に示されているＩＬＰＡＩ例を使用して実装される。この場合、端末デバイス１１０は、表２または表３を照会することによって、電力割振りの指示、ＩＬＰＡＩに対応する電力割振り比または電力割振りオフセットを決定し得る。したがって、各空間レイヤに割り振られたレイヤ電力が、総電力に基づいて計算され得る。
【００８９】
８４０において、空間レイヤのグループ中の各空間レイヤ上のニア端末デバイスの基準信号のための送信電力が、ニア端末デバイスと複数の空間レイヤの各々の上のファー端末デバイスとの間の電力割振りの指示と、決定されたレイヤ電力とに基づいて、決定される。いくつかの実施形態では、ニア端末デバイスと複数の空間レイヤの各々の上のファー端末デバイスとの間の電力割振りの指示は、表５に示されているＩＵＰＡＩの例を使用して示され得る。この場合、端末デバイス１１０は、表５を照会することによって、ニアＵＥと各空間レイヤ上のファーＵＥとの間の電力割振りを決定し得、それにより、８３０における各空間レイヤの決定されたレイヤ電力に基づいて、ニアＵＥとファーＵＥとに割り振られたレイヤ電力を計算する。
【００９０】
図１０は、本開示のいくつかの実施形態による、装置１０００のブロック図を示す。装置１０００は、図１および図２に示されているネットワーク・デバイス１４０または他の適切なデバイスにおいて実装され得ることを理解されよう。図１０に示されているように、装置１０００は、マルチユーザ重畳送信のための電力割振り情報を決定するように構成された情報決定ユニット１０１０であって、電力割振り情報が、ニア端末デバイスと１つまたは複数の空間レイヤ上のファー端末デバイスとの間のマルチユーザ重畳送信のための電力割振りを示す、情報決定ユニット１０１０と、電力割振り情報をニア端末デバイスに動的に送信するように構成された第１の送信ユニット１０２０とを備える。
【００９１】
いくつかの実施形態では、情報決定ユニット１０１０は、ニア端末デバイスと１つの空間レイヤ上のファー端末デバイスとの間のペアリング情報を決定するように構成された第１の決定ユニットであって、ペアリング情報は、マルチユーザ重畳送信を実行するためにニア端末デバイスとファー端末デバイスとが空間レイヤ上でペアリングされるかどうかを示す、第１の決定ユニットと、ペアリング情報に基づいて電力割振り情報を決定するように構成された第２の決定ユニットであって、電力割振り情報が、ニア端末デバイスとファー端末デバイスとの間のペアリング情報、ニア端末デバイスと空間レイヤ上のファー端末デバイスとの間の電力割振りの指示のうちの１つまたは複数を含む、第２の決定ユニットとを備え得る。
【００９２】
いくつかの実施形態では、情報決定ユニット１０１０は、ニア端末デバイスと複数の空間レイヤ上のファー端末デバイスとの間のペアリング情報を決定するように構成された第３の決定ユニットであって、ペアリング情報は、マルチユーザ重畳送信を実行するためにニア端末デバイスが複数の空間レイヤの各々の上のファー端末デバイスとペアリングされるかどうかを示す、第３の決定ユニットと、ペアリング情報に基づいて電力割振り情報を決定するように構成された第４の決定ユニットであって、電力割振り情報は、ニア端末デバイスと複数の空間レイヤの各々の上のファー端末デバイスとの間のペアリング情報、複数の空間レイヤの間の電力割振りの指示、およびニア端末デバイスと複数の空間レイヤの各々の上のファー端末デバイスとの間の電力割振りの指示のうちの１つまたは複数を含む、第４の決定ユニットとを備え得る。
【００９３】
いくつかの実施形態では、情報決定ユニット１０１０は、マルチユーザ重畳送信が、複数の空間レイヤのすべての上で実行されるかまたはそれらのいずれの上でも実行されない場合、複数の空間レイヤの間で電力を等しく割り振るように構成された第１の割振りユニットと、マルチユーザ重畳送信が複数の空間レイヤのうちの１つの上で実行される場合、マルチユーザ重畳送信が実行される空間レイヤに、マルチユーザ重畳送信が実行されない、複数の空間レイヤのうちの空間レイヤに割り振られた電力よりも大きい電力を割り振るように構成された第２の割振りユニットとを備え得る。
【００９４】
いくつかの実施形態では、第１の送信ユニット１０２０は、サブフレーム中のダウンリンク制御情報中で電力割振り情報を送信するように構成された第２の送信ユニットを備え得る。
【００９５】
図１１は、本開示のいくつかの実施形態による、装置１１００のブロック図を示す。装置１１００は、図１および図２に示されているニア端末デバイス１１０または他の適切なデバイスにおいて実装され得ることを理解されよう。図１１に示されているように、装置１１００は、ネットワーク・デバイスからマルチユーザ重畳送信のための電力割振り情報を受信するように構成された第１の受信ユニット１１００であって、電力割振り情報が、ニア端末デバイスと１つまたは複数の空間レイヤ上のファー端末デバイスとの間のマルチユーザ重畳送信のための電力割振りを示す、第１の受信ユニット１１００と、電力割振り情報に基づいてニア端末デバイスの基準信号のための送信電力を決定するように構成された電力決定ユニット１１２０とを備える。
【００９６】
いくつかの実施形態では、第１の受信ユニット１１００は、サブフレーム中のダウンリンク制御情報から電力割振り情報を受信するように構成された第２の受信ユニットを備え得る。
【００９７】
いくつかの実施形態では、電力割振り情報は、ニア端末デバイスと１つの空間レイヤ上のファー端末デバイスとの間のペアリング情報、およびニア端末デバイスと空間レイヤ上のファー端末デバイスとの間の電力割振りの指示のうちの１つまたは複数を含み得る。
【００９８】
上記の実施形態では、電力決定ユニット１１２０は、ペアリング情報に基づいて、ニア端末デバイスが、ファー端末デバイスとのマルチユーザ重畳送信を実行するかどうかを決定するように構成された第１の決定ユニットと、ニア端末デバイスが、ファー端末デバイスとのマルチユーザ重畳送信を実行することを決定したことに応答して、電力割振りの指示に基づいて、ニア端末デバイスの基準信号のための送信電力を決定するように構成された第２の決定ユニットとを備え得る。
【００９９】
いくつかの実施形態では、電力割振り情報は、ニア端末デバイスと複数の空間レイヤの各々の上のファー端末デバイスとの間のペアリング情報、複数の空間レイヤの間の電力割振りの指示、およびニア端末デバイスと複数の空間レイヤの各々の上のファー端末デバイスとの間の電力割振りの指示のうちの１つまたは複数を含み得る。
【０１００】
上記の実施形態では、電力決定ユニット１１２０は、ペアリング情報に基づいて、複数の空間レイヤからマルチユーザ重畳送信を実行するための空間レイヤのグループを決定するように構成された第３の決定ユニットと、複数の空間レイヤの間の電力割振りの指示に基づいて、空間レイヤのグループ中の各空間レイヤに割り振られたレイヤ電力を決定するように構成された第４の決定ユニットと、ニア端末デバイスと複数の空間レイヤの各々の上のファー端末デバイスとの間の電力割振りの指示と、決定されたレイヤ電力とに基づいて、空間レイヤのグループ中の各空間レイヤ上のニア端末デバイスの基準信号のための送信電力を決定するように構成された第５の決定ユニットとをさらに備え得る。
【０１０１】
装置１０００および装置１１００の各ユニットは、図３〜図８を参照しながら説明された方法３００および８００の各ステップに対応することを理解されたい。したがって、図３〜図８を参照しながら上記で説明された動作および特徴は、装置１０００、装置１１００ならびにそれら中に含まれるユニットにも適応可能であるが、同じ影響を有し、その詳細はここでは無視される。
【０１０２】
装置１０００および装置１１００中に含まれるユニットは、ソフトウェア、ハードウェア、ファームウェア、またはそれらの任意の組合せを含む、様々な様式で実装され得る。一実施形態では、１つまたは複数のユニットは、ソフトウェアおよび／またはファームウェア、たとえば、記憶媒体に記憶されたマシン実行可能命令を使用して実装され得る。マシン実行可能命令に加えてまたはそれの代わりに、装置１０００および装置１１００中のユニットの一部または全部が、少なくとも部分的に、１つまたは複数のハードウェア論理構成要素によって実装され得る。たとえば、限定はしないが、使用され得る例示的なタイプのハードウェア論理構成要素としては、フィールドプログラマブル・ゲート・アレイ（ＦＰＧＡ）、特定用途向け集積回路（ＡＳＩＣ）、特定用途向け標準製品（ＡＳＳＰ）、システムオンチップ・システム（ＳＯＣ）、複合プログラマブル論理デバイス（ＣＰＬＤ）などがある。
【０１０３】
図１０および図１１に示されているユニットは、部分的にまたは完全に、ハードウェア・モジュール、ソフトウェア・モジュール、ファームウェア・モジュールまたはそれらの任意の組合せとして実装され得る。特に、いくつかの実施形態では、上記で説明されたフロー、方法またはプロセスは、基地局または端末デバイス中のハードウェアによって実装され得る。たとえば、基地局または端末デバイスは、それの送信機、受信機、トランシーバおよび／またはプロセッサによって方法３００〜８００を実装し得る。
【０１０４】
図１２は、本開示の実施形態を実装するために適用可能であるデバイス１２００のブロック図を示す。デバイス２００は、図１および図２に示されているネットワーク・デバイス１４０など、ネットワーク・デバイスを実装するために使用されるか、または図１および図２に示されているニア端末デバイス１１０など、端末デバイスを実装するために使用され得る。
【０１０５】
図示のように、デバイス１２００は、コントローラ１２１０を備える。コントローラ１２１０は、デバイス１２００の動作および機能を制御する。たとえば、いくつかの実施形態では、コントローラ１２１０は、コントローラ１２１０に結合されたメモリ１２２０に記憶された命令１２３０によって様々な動作を実行し得る。メモリ１２２０は、ローカル技術環境に適用可能である任意の適切なタイプのものであり得、限定はしないが、半導体ベース・メモリ・デバイス、磁気メモリ・デバイスおよびシステム、光メモリ・デバイスおよびシステムを含む、任意の適切なデータ記憶技法を使用して実装され得る。１つのメモリ・ユニットのみが図１２に示されているが、デバイス１２００中に複数の物理的に異なるメモリ・ユニットがあり得る。
【０１０６】
コントローラ１２１０は、ローカル技術環境に適用可能である任意の適切なタイプのものであり得、限定はしないが、汎用コンピュータ、専用コンピュータ、マイクロプロセッサ、デジタル信号プロセッサ（ＤＳＰ）、ならびにプロセッサ・ベース・マルチコア・プロセッサ・アーキテクチャにおける１つまたは複数のプロセッサを含み得る。デバイス１２００は、複数のコントローラ１２１０をも備え得る。コントローラ１２１０は、１つまたは複数のアンテナ１２５０および／または他の構成要素による情報受信および送信を実施し得るトランシーバ１２４０に結合される。
【０１０７】
デバイス１２００がネットワーク・デバイス１４０として働くとき、コントローラ１２１０とトランシーバ１２４０とは、図３を参照しながら説明された方法３００を実装するために協働して動作し得る。コントローラ１２１０は、マルチユーザ重畳送信のための電力割振り情報を決定することであって、電力割振り情報が、ニア端末デバイスと１つまたは複数の空間レイヤ上のファー端末デバイスとの間のマルチユーザ重畳送信のための電力割振りを示す、決定することを行うように構成され、トランシーバ１２４０は、電力割振り情報をニア端末デバイスに動的に送信するように構成される。
【０１０８】
いくつかの実施形態では、コントローラ１２１０は、ニア端末デバイスと１つの空間レイヤ上のファー端末デバイスとの間のペアリング情報を決定することであって、ペアリング情報は、マルチユーザ重畳送信を実行するためにニア端末デバイスとファー端末デバイスとが空間レイヤ上でペアリングされるかどうかを示す、決定することと、ペアリング情報に基づいて電力割振り情報を決定することであって、電力割振り情報が、ニア端末デバイスとファー端末デバイスとの間のペアリング情報、ニア端末デバイスと空間レイヤ上のファー端末デバイスとの間の電力割振りの指示のうちの１つまたは複数を含む、決定することとを行うようにさらに構成され得る。
【０１０９】
いくつかの実施形態では、コントローラ１２１０は、ニア端末デバイスと複数の空間レイヤ上のファー端末デバイスとの間のペアリング情報を決定することであって、ペアリング情報は、マルチユーザ重畳送信を実行するためにニア端末デバイスが複数の空間レイヤの各々の上のファー端末デバイスとペアリングされるかどうかを示す、決定することと、ペアリング情報に基づいて電力割振り情報を決定することであって、電力割振り情報は、ニア端末デバイスと複数の空間レイヤの各々の上のファー端末デバイスとの間のペアリング情報、複数の空間レイヤの間の電力割振りの指示、およびニア端末デバイスと複数の空間レイヤの各々の上のファー端末デバイスとの間の電力割振りの指示のうちの１つまたは複数を含む、決定することとを行うようにさらに構成され得る。
【０１１０】
いくつかの実施形態では、コントローラ１２１０は、マルチユーザ重畳送信が、複数の空間レイヤのすべての上で実行されるかまたはそれらのいずれの上でも実行されない場合、複数の空間レイヤの間で電力を等しく割り振ることと、マルチユーザ重畳送信が複数の空間レイヤのうちの１つの上で実行される場合、マルチユーザ重畳送信が実行される空間レイヤに、マルチユーザ重畳送信が実行されない、複数の空間レイヤのうちの空間レイヤに割り振られた電力よりも大きい電力を割り振ることとを行うようにさらに構成され得る。
【０１１１】
いくつかの実施形態では、トランシーバ１２４０は、サブフレーム中のダウンリンク制御情報中で電力割振り情報を送信するようにさらに構成され得る。
【０１１２】
デバイス１２００がニア端末デバイス１１０として働くとき、コントローラ１２１０とトランシーバ１２４０とは、図６を参照しながら説明された方法６００を実装するように協働して動作し得る。トランシーバ１２４０は、ネットワーク・デバイスからマルチユーザ重畳送信のための電力割振り情報を受信することであって、電力割振り情報が、ニア端末デバイスと１つまたは複数の空間レイヤ上のファー端末デバイスとの間のマルチユーザ重畳送信のための電力割振りを示す、受信することを行うように構成され、コントローラ１２１０は、電力割振り情報に基づいてニア端末デバイスの基準信号のための送信電力を決定するように構成される。
【０１１３】
いくつかの実施形態では、トランシーバ１２１０は、サブフレーム中のダウンリンク制御情報から電力割振り情報を受信するようにさらに構成され得る。
【０１１４】
いくつかの実施形態では、電力割振り情報は、ニア端末デバイスと１つの空間レイヤ上のファー端末デバイスとの間のペアリング情報、およびニア端末デバイスと空間レイヤ上のファー端末デバイスとの間の電力割振りの指示のうちの１つまたは複数を含み得る。これらの実施形態では、コントローラ１２１０は、ペアリング情報に基づいて、ニア端末デバイスが、ファー端末デバイスとのマルチユーザ重畳送信を実行するかどうかを決定することと、ニア端末デバイスが、ファー端末デバイスとのマルチユーザ重畳送信を実行することを決定したことに応答して、電力割振りの指示に基づいて、ニア端末デバイスの基準信号のための送信電力を決定することとを行うようにさらに構成され得る。
【０１１５】
いくつかの実施形態では、電力割振り情報は、ニア端末デバイスと複数の空間レイヤの各々の上のファー端末デバイスとの間のペアリング情報、複数の空間レイヤの間の電力割振りの指示、およびニア端末デバイスと複数の空間レイヤの各々の上のファー端末デバイスとの間の電力割振りの指示のうちの１つまたは複数を含み得る。これらの実施形態では、コントローラ１２１０は、ペアリング情報に基づいて、複数の空間レイヤからマルチユーザ重畳送信を実行するための空間レイヤのグループを決定することと、複数の空間レイヤの間の電力割振りの指示に基づいて、空間レイヤのグループ中の各空間レイヤに割り振られたレイヤ電力を決定することと、ニア端末デバイスと複数の空間レイヤの各々の上のファー端末デバイスとの間の電力割振りの指示と、決定されたレイヤ電力とに基づいて、空間レイヤのグループ中の各空間レイヤ上のニア端末デバイスの基準信号のための送信電力を決定することとを行うようにさらに構成され得る。
【０１１６】
図３および図６を参照しながら説明されたすべての特徴は、デバイス１２００に適用可能であり、それらはここでは無視される。
【０１１７】
概して、本開示の様々な実施形態は、ハードウェアまたは専用回路、ソフトウェア、論理またはそれらの任意の組合せで実装され得る。いくつかの態様は、ハードウェアで実装され得、他の態様は、コントローラ、マイクロプロセッサまたは他のコンピューティング・デバイスによって実行され得る、ファームウェアまたはソフトウェアで実装され得る。本開示の実施形態の様々な態様が、ブロック図、フローチャートとして、または何らかの他の図式表現を使用して示され、説明されたが、本明細書で説明されたブロック、装置、システム、技法または方法は、非限定的な例として、ハードウェア、ソフトウェア、ファームウェア、専用回路または論理、汎用ハードウェアまたはコントローラまたは他のコンピューティング・デバイス、あるいはそれらの何らかの組合せで実装され得ることが諒解されよう。
【０１１８】
たとえば、本開示の実施形態は、ターゲットの現実または仮想プロセッサ上のデバイス中で実行される、プログラム・モジュール中に含まれるものなど、マシン実行可能命令の一般的なコンテキストにおいて説明され得る。概して、プログラム・モジュールは、特定のタスクを実行するかまたは特定の抽象データ型を実装する、ルーチン、プログラム、ライブラリ、オブジェクト、クラス、構成要素、データ構造などを含む。プログラム・モジュールの機能は、様々な実施形態において必要に応じてプログラム・モジュール間で組み合わせられるかまたは分割され得る。プログラム・モジュールのためのマシン実行可能命令は、ローカルデバイスまたは分散デバイス内で実行され得る。分散デバイスでは、プログラム・モジュールは、ローカル記憶媒体とリモート記憶媒体の両方の中にあり得る。
【０１１９】
本開示の方法を実行するためのプログラム・コードは、１つまたは複数のプログラミング言語の任意の組合せで書き込まれ得る。これらのプログラム・コードは、プログラム・コードが、プロセッサまたはコントローラによって実行されたとき、フローチャートおよび／またはブロック図において指定された機能／動作が実装されることを引き起こすように、汎用コンピュータ、専用コンピュータ、または他のプログラマブル・データ処理装置のプロセッサまたはコントローラに与えられ得る。プログラム・コードは、完全にマシン上で実行するか、部分的にマシン上で実行するか、スタンドアロン・ソフトウェア・パッケージとして実行するか、部分的にマシン上と部分的にリモート・マシン上とで実行するか、あるいは完全にリモート・マシンまたはサーバ上で実行し得る。
【０１２０】
本開示のコンテキストでは、マシン可読媒体は、命令実行システム、装置、またはデバイスによって、またはそれとともに使用するためのプログラムを含んでいるかまたは記憶し得る任意の有形媒体であり得る。マシン可読媒体は、マシン可読信号媒体またはマシン可読記憶媒体であり得る。マシン可読媒体は、限定はしないが、電子、磁気、光学、電磁、赤外線、または半導体システム、装置、またはデバイス、あるいは上記のものの任意の好適な組合せを含み得る。マシン可読記憶媒体のより具体的な例としては、１つまたは複数のワイヤを有する電気的接続、ポータブル・コンピュータ・ディスケット、ハード・ディスク、ランダム・アクセス・メモリ（ＲＡＭ）、読取り専用メモリ（ＲＯＭ）、消去可能プログラマブル読取り専用メモリ（ＥＰＲＯＭまたはフラッシュ・メモリ）、光ファイバー、ポータブル・コンパクト・ディスク読取り専用メモリ（ＣＤ−ＲＯＭ）、光記憶デバイス、磁気記憶デバイス、または上記のものの任意の好適な組合せがある。
【０１２１】
さらに、動作は特定の順序で示されているが、これは、望ましい結果を達成するために、そのような動作が、示されている特定の順序または連続した順序で実行されること、あるいはすべての示された動作が実行されることを必要とするものとして理解されるべきではない。いくつかの状況では、マルチタスキングおよび並列処理が有利であり得る。同様に、いくつかの特定の実装の詳細が上記の説明中に含まれているが、これらは、本開示の範囲に対する限定と解釈されるべきではなく、むしろ、特定の実施形態に固有であり得る特徴の説明として解釈されるべきである。別個の実施形態のコンテキストで説明された特定の特徴はまた、単一の実施形態において組み合わせて実装され得る。逆に、単一の実施形態のコンテキストで説明された様々な特徴は、複数の実施形態において別々に、または任意の好適な部分組合せで実装され得る。
【０１２２】
主題が、構造的特徴および／または方法のアクションに固有の言語で説明されたが、添付の特許請求の範囲において定義されている主題は、上記で説明された特定の特徴またはアクションに限定されないことを理解されたい。見方を変えれば、上記で説明された特定の特徴およびアクションは、特許請求の範囲を実装することの一例として開示される。
【図１】
2019531625.tif 000008
【図２】
2019531625.tif 000009
【図３】
2019531625.tif 000010
【図４】
2019531625.tif 000011
【図５】
2019531625.tif 000012
【図６】
2019531625.tif 000013
【図７】
2019531625.tif 000014
【図８】
2019531625.tif 000015
【図９】
2019531625.tif 000016
【図１０】
2019531625.tif 000017
【図１１】
2019531625.tif 000018
【図１２】
2019531625.tif 000019
【国際調査報告】
2019531625.tif 000020
2019531625.tif 000021